(57)【要約】【課題】シングル細胞等のゲル電気泳動法を改善すること。【解決手段】落射光装置（７６）、顕微鏡対物レンズ（４１）及びレーザユニット（７０）を有する顕微鏡（１０）を含むレーザ顕微切離システム（１００）であって、レーザユニット（７０）のレーザビームの光路（ｂ）は落射光装置（７６）及び顕微鏡対物レンズ（４１）を介して延伸し、調整可能な交点において顕微鏡対物レンズ（４１）の対象面と交差し、電気泳動ゲル（９１）を有する電気泳動ユニット（９０）は、対象面の下方に取付けられているか又は連結手段（３５）によって取付け可能であり、電気泳動ゲル（９１）は、少なくとも１つのゲルポケット（９２）を有し、レーザ顕微切離システム（１００）は、対象面に対し平行にかつ定義された基準位置に対し相対的に電気泳動ゲル（９１）を位置決めするための位置決め手段（９６）を含み、かくして、対象面に配置可能な試料（５１）のレーザユニット（７０）のレーザビームによって得られる切離片（９９）は、少なくとも１つのゲルポケット（９２）の中で捕獲可能である。【選択図】図２
2016525700.tif 000002
【特許請求の範囲】
【請求項１】
落射光装置（７６）、顕微鏡対物レンズ（４１）及びレーザユニット（７０）を有する顕微鏡（１０）を含むレーザ顕微切離システム（１００）であって、
レーザユニット（７０）のレーザビームの光路（ｂ）は落射光装置（７６）及び顕微鏡対物レンズ（４１）を介して延伸し、調整可能な交点において顕微鏡対物レンズ（４１）の対象面と交差し、
電気泳動ゲル（９１）を有する電気泳動ユニット（９０）は、対象面の下方に取付けられているか又は連結手段（３５）によって取付け可能であり、
電気泳動ゲル（９１）は、少なくとも１つのゲルポケット（９２）を有し、レーザ顕微切離システム（１００）は、対象面に対し平行にかつ定義された基準位置に対し相対的に電気泳動ゲル（９１）を位置決めするための位置決め手段（９６）を含み、かくして、対象面に配置可能な試料（５１）のレーザユニット（７０）のレーザビームによって得られる切離片（９９）は、少なくとも１つのゲルポケット（９２）の中で捕獲可能である、
レーザ顕微切離システム。
【請求項２】
電気泳動ユニット（９０）は、当該電気泳動ユニット（９０）に流体を供給するための及び／又は当該電気泳動ユニット（９０）から流体を排出するための流体輸送装置（９５）を有する
請求項１に記載のレーザ顕微切離システム。
【請求項３】
電気泳動ユニット（９０）は、電気泳動ゲル（９１）に電圧を印加するための電極（９３）を有する、
請求項１又は２に記載のレーザ顕微切離システム。
【請求項４】
レーザ顕微切離ユニット（１００）は、当該レーザ顕微切離ユニット（１００）に取付けられた電気泳動ユニット（９０）によって電気泳動法を実行するための流体システム及び／又は電気泳動装置を含む、
請求項１〜３の何れかに記載のレーザ顕微切離システム。
【請求項５】
電気泳動ユニット（９０）は、電気泳動法の実行のためにレーザ顕微切離システム（１００）から除去可能に構成される、
請求項１〜３の何れかに記載のレーザ顕微切離システム。
【請求項６】
レーザ顕微切離ユニット（１００）は、実行された電気泳動法の結果を評価するための評価手段を有する、
請求項４又は５に記載のレーザ顕微切離システム。
【請求項７】
レーザ顕微切離ユニット（１００）は、前記１又は複数のゲルポケット（９２）の１又は複数を試料（５１）の夫々対応する１又は複数の領域に割り当てるための手段を有する、
請求項１〜６の何れかに記載のレーザ顕微切離システム。
【請求項８】
電気泳動ゲル（９１）は、１２、２４又は９６のゲルポケット（９２）を有する、
請求項１〜７の何れかに記載のレーザ顕微切離システム。
【請求項９】
電気泳動ゲル（９１）の前記１又は複数のゲルポケット（９２）の少なくとも１つは、１０μm〜５０μmの直径を有する、
請求項１〜８の何れかに記載のレーザ顕微切離システム。
【請求項１０】
請求項１〜９の何れかに記載のレーザ顕微切離システム（１００）のための電気泳動ユニット（９０）であって、レーザ顕微切離システム（１００）への可逆的な取り付けのための手段を有する電気泳動ユニット。
【請求項１１】
請求項１〜９の何れかに記載のレーザ顕微切離システム（１００）が使用される核酸含有試料（５１）のための検査方法であって、
レーザビーム（ｂ）によって核酸含有試料（５１）から切離片（９９）が分離されて取り出され、該切離片（９９）が、電気泳動ゲル（９１）の１又は複数のゲルポケット（９２）の中に捕獲され、そして、電気泳動法によって検査される、
検査方法。
【請求項１２】
１又は複数のゲルポケット（９２）のうちの捕獲に使用されるその都度１つのゲルポケット（９２）が試料（５１）の１つの領域に割り当てられる、
請求項１１に記載の検査方法。
【請求項１３】
切離片は、電気泳動ユニット（９０）が電気泳動ゲル（９１）と共にレーザ顕微切離システム（１００）に取り付けられている間に、電気泳動法によって検査される、
請求項１１又は１２に記載の検査方法。
【請求項１４】
切離片は、電気泳動ユニット（９０）が電気泳動ゲル（９１）と共にレーザ顕微切離システム（１００）から取り出された後に、電気泳動法によって検査される、
請求項１１又は１２に記載の検査方法。
【請求項１５】
更に、電気泳動法の結果がレーザ顕微切離システム（１００）によって評価される、
請求項１１〜１４の何れかに記載の検査方法。
【発明の詳細な説明】
【技術分野】
【０００１】
本発明は、レーザ顕微切離システム、そのようなレーザ顕微切離システムのための電気泳動ユニット及び核酸含有試料の相応の検査方法に関する。
【背景技術】
【０００２】
いわゆるレーザ顕微切離（顕微解剖ないしレーザマイクロダイセクション：Lasermikrodissektion）による生物学的試料の処理方法は、１９７０年代半ば以来既に存在しており（例えば Isenberg, G, et al.: Cell surgery by laser micro-dissection: a preparative method. Journal of Microscopy, Band 107, 1976, Seiten 19-24 参照）、それ以来絶えず更に発展している。
【０００３】
レーザマイクロダイセクションでは、細胞、組織部分等は、試料（「対象（Objekt）」、「標本（Praeparat）」）から分離（単離）され、いわゆる切離片（ないし摘出物：Dissektate）として回収することができる。レーザ顕微切離の特別な利点は、試料とレーザビームの接触時間が短く、そのため、試料は殆ど変化されないことにある。そして、切離片の特異的な回収は、種々の方法で実行することができる（例えば Bancroft, J.D. und Gamble, M.: Theory and Practice of Histological Techniques. Elsevier Science, 2008, Series 575, Kapitel "Laser Microdissection" 参照）。
【０００４】
例えば、幾つかの既知の方法では、切離片は赤外又は紫外レーザビームによって試料から分離することができ、この切離片は重力の作用により適切な切離片捕獲容器に落下する。この場合、切離片は、付着している膜と一緒に試料から切り出され得る。これに対し、いわゆるレーザキャプチャマイクロダイセクション（Laser Capture Microdissection）では、熱可塑性の膜は相応のレーザビームによって加熱される。その際、この膜は試料の所望の領域と融合するが、その次の工程において、引き裂きないし引っ掻き（Reissen）によって除去することはできる。更なる代替方策では、切離片をレーザビームによって切離片捕獲容器の蓋に付着させる。レーザ顕微切離のための既知の倒立顕微鏡システムの場合は、上方に射出された切離片は、粘着性コーティングが配されている切離片捕獲容器の底に付着されることもできる。
【０００５】
なお、これに関していえば、本発明は、とりわけ、切離片が試料から切離されて（分離して取り出されて）下方に配置された切離片捕獲容器において捕獲される方法において使用されるものである。とりわけ、本発明は、切離片の無接触的捕獲システムに好適なものである。
【０００６】
例えば WO 98/14816 A1 から知られているようなレーザ顕微切離のための既知の顕微鏡システムは、その光路にレーザビームが差込入射される落射光装置を有する。レーザビームは、その都度使用される顕微鏡対物レンズによって試料に合焦（集光）される。この試料は、モータ駆動的・自動的に走行可能な顕微鏡テーブル（ステージ）に載置されている。切断ラインは、試料を位置固定のレーザビームに対し相対的に動かすために、顕微鏡テーブルを切断の際に走行させることによって形成される。しかしながら、これは、とりわけ、試料が視野の中で運動し、その像が不鮮明になる（ボケる）ため、試料は切断ラインの形成中に容易には観察することができないという欠点を有する。
【０００７】
そのため、レーザビームないしその照射点を定置的に配置された試料上に導くよう構成されたレーザ偏向ないしレーザスキャン装置を有するレーザ顕微切離システムは有利である。本発明の枠内においても特別な利点を提供するこの種のレーザ顕微切離システムについては以下において詳細に説明する。レーザ光路において互いに向かい合って位置調整可能な複数の楔状ガラス部材を備えたレーザスキャン装置を有する特に有利なレーザ顕微切離システムは、例えば既に説明したような EP 1 276 586 B1 に記載されている。
【０００８】
両方の場合、即ち、顕微鏡テーブルが走行するレーザ顕微切離システム及びレーザスキャン装置を有するレーザ顕微切離システムの何れの場合でも、一般的には、パルスレーザで作動され、個々のレーザパルスによって試料に穴が形成される。このため、切断ラインは、相互に接するよう、場合によっては相応に重なり合って、一列に並んだ複数のこのような穴によって生じる。
【０００９】
レーザ顕微切離は、核酸含有試料のシングル（単一）細胞又は定義（特定）された組織領域、即ち切離片を獲得するために使用することができる。そして、相応の切離片は種々の分子生物学的分析法に供されることができる。
【００１０】
シングル細胞又は特定された組織領域におけるＤＮＡ損傷（とりわけ一本鎖又は二本鎖切断、増殖、欠失、二量体化等）の検査のために、例えば、シングル細胞ゲル電気泳動法が知られている（例えば Wood, D.K. et al.: Single cell trapping and DNA damage analysis using microwell arrays, Proc. Natl. Acad. Sci. USA, Band 107, 2010, Seiten 10.0008-10.013 参照）。シングル細胞ゲル電気泳動法（「コメット・アッセイ（Comet Assay）」とも称される）の原理は、相応のＤＮＡ損傷、例えばＤＮＡ中の鎖切断、によって引き起こされる、その幾何学的性質従って電気泳動における泳動挙動（Migrationsverhalten）ないし移動度（Mobilitaet）における差異である。
【００１１】
この場合、一般的に、損傷したＤＮＡフラグメントは通常使用されるアガロースゲルにおいて損傷していないＤＮＡフラグメントよりも移動度が大きいことを観察することができる。これは、彗星の尾に類似する泳動像に現れる。シングル細胞ゲル電気泳動法によって、多種類のＤＮＡ損傷を検出することが可能であり、例えば、ＤＮＡ修復酵素又は他の試薬も、それ自体検出可能ではない損傷を視認可能にするために、使用することができる。概要については、Wood et al.の上記の文献（非特許文献３）を参照されたい。
【先行技術文献】
【特許文献】
【００１２】
【特許文献１】国際公開第９８／１４８１６号
【特許文献２】欧州特許出願公開第１２７６５８６号明細書
【非特許文献】
【００１３】
【非特許文献１】Isenberg, G, et al.: Cell surgery by laser micro-dissection: a preparative method. Journal of Microscopy, Band 107, 1976, Seiten 19-24
【非特許文献２】Bancroft, J.D. und Gamble, M.: Theory and Practice of Histological Techniques. Elsevier Science, 2008, Series 575, Kapitel "Laser Microdissection"
【非特許文献３】Wood, D.K. et al.: Single cell trapping and DNA damage analysis using microwell arrays, Proc. Natl. Acad. Sci. USA, Band 107, 2010, Seiten 10.0008-10.013
【発明の概要】
【発明が解決しようとする課題】
【００１４】
しかしながら、シングル細胞ゲル電気泳動法は、従来通りの方法では、小さいスループット（処理量）でしか実行することができず、しかも、再現性も比較的不良である。使用される画像処理及び分析法は、大がかりであり、長時間を要し、場合によってはエラーを含む。これに関し、Wood et al.の文献は、高スループットシングル細胞ゲル電気泳動のための方法を提案している。この方法では、複数の（サンプル注入用）ゲルポケットを有する電気泳動ゲルが使用されており、このゲルは、次いで、標準的な高スループットスクリーニング法に供されることはできる。しかしながら、とりわけ、特定された細胞ないし細胞タイプを特定されたゲルポケットに狙いを定めて導入することは、当該文献に開示された方法では不可能である。なぜなら、この方法では、ゲル全体に細胞懸濁液が（過剰に）層状に覆っており、個々の細胞が夫々存在するゲルポケット内に沈降するのは偶然に過ぎないからである。
【００１５】
それゆえ、本発明の課題は、相応のシングル細胞ゲル電気泳動法の実行を改善することである。
【課題を解決するための手段】
【００１６】
上記を背景として、本発明は、独立請求項の特徴を有する、レーザ顕微切離システム、そのようなレーザ顕微切離システムのための電気泳動ユニット、及び核酸含有試料のための相応の検査方法を提案する。
【発明を実施するための形態】
【００１７】
好ましい実施の形態は従属請求項及び以下の説明の対象である。
【００１８】
本発明は、それ自体は既知のレーザ顕微切離システムを出発点とする。この種のレーザ顕微切離システムは、落射光（投下光）装置、顕微鏡対物レンズ及びレーザユニットを有する顕微鏡を含み、レーザユニットのレーザビームの光路は、落射光装置及び顕微鏡対物レンズを介して延伸し、調整可能な交点において顕微鏡対物レンズの対象（物体）面と交差する。レーザ顕微切離システムは、本発明に応じて、対象面の下方に、電気泳動ゲルを有する電気泳動ユニットが取付けられているか又は連結手段によって取付け可能（angebracht oder mittels Kopplungsmitteln anbringbar）である。更に、電気泳動ゲルは、少なくとも１つのゲルポケットを有し、レーザ顕微切離システムは、対象面に対し平行にかつ定義（特定）された基準位置（definierten Bezugsposition）に対し相対的に電気泳動ゲルを位置決めするための位置決め手段を含む。かくして、対象面に配置可能な試料のレーザユニットのレーザビームによって得られる切離片は、少なくとも１つのゲルポケットにおいて捕獲されることができる。
【００１９】
このようなレーザ顕微切離システムは、換言すれば、レーザビームを顕微鏡の顕微鏡対物レンズを介して切離されるべきとりわけ核酸を含有する試料に合焦（集光）するための落射光装置を有する顕微鏡と、合焦されたレーザビームによって核酸含有試料から切離片を切離する（分離して取り出す）ための手段とを含むといえる。
【００２０】
本発明は、とりわけ、いわゆる無接触的レーザ顕微切離システムを使用する。このようなシステムでは、切離片は膜等に付着されるのではなく、重力によって試料から下方に落下する。この場合、試料は、試料支持体の下側の保持システム（Aufrechtsystemen）に配されており、対象支持体を貫通して対象支持体の上側からレーザビームによって処理される。
【００２１】
落射光装置によって、レーザ光源からのレーザビームは顕微鏡の観察光路に差込入射される。レーザビームは、核酸含有試料の観察のためにも使用される顕微鏡対物レンズによって試料に合焦（集光）される。
【００２２】
誤解を避けるためにここで強調すべきことは、本発明の枠内において使用されるレーザ顕微切離システムは、既に顕微鏡観察に使用可能に調製されている核酸含有試料と共に使用されることである。そのような試料としては、例えば、ミクロトームによってより大きな試料ブロックから切り出される薄切片を挙げることができる。そのような試料ブロックとしては、例えば、固定した器官又は相応の器官の生検を挙げることができる。従って、本発明のレーザ顕微切離システムは、核酸含有試料を得るために使用されるのではなく、そのような試料の処理やそのような試料の特定された領域の分離のために使用される。本発明は、ミクロトームによっては得られない他の核酸含有試料、例えば塗抹標本（Ausstrichen）、浸漬物（Mazeraten）等でも使用することができると理解される。
【００２３】
ミクロトームは専ら顕微鏡試料の調製のために使用される。このため、ミクロトームはレーザも有することがある。ミクロトームによって得られる切片は、対象支持体に、上述のように、配され、場合によってはそこで固定、染色等される。そのようにして初めて、この切片は、本発明のレーザ顕微切離システムにおいて使用可能になる。ミクロトームは、その作動時において、とりわけ可及的に均質な切片厚の切片が得られるという点において、レーザ顕微切離システムとは根本的に相違する。即ち、ミクロトームは、切片面が平行な多数の同じ切片を生成するよう構成されているのに対し、レーザ顕微切離システムは、試料に依存する基準に応じて、例えば視覚的な基準に応じて、切離片を分離して取り出す（摘出する）よう構成されている。従って、当業者は、ミクロトームで使用される技術的手段をレーザ顕微切離システムに転用することはないであろう。
【００２４】
更に、ミクロトームは、その観察光路にレーザビームが差込入射される顕微鏡を含まない。従って、ミクロトームでは、レーザビームは、観察のために使用される顕微鏡対物レンズを貫通して、処理された試料に、例えば組織ブロックに合焦（集光）されることも決してない。
【００２５】
更に、本発明の枠内において、有利には、レーザ顕微切離システムはレーザスキャン装置と共に使用される。顕微鏡テーブルは、レーザスキャン装置を有するレーザ顕微切離システムにおいては、ｘｙ方向（即ち顕微鏡対物レンズの光軸に対し直角な２つの方向）に関し、切離片の分離取出しの際には、即ち切離（切断）プロセス中には、定置的に配置されている。
【００２６】
切離プロセス中にモータ駆動により走行する顕微鏡テーブル（スキャニングテーブル）、これはとりわけ対物レンズの倍率が極めて大きい場合に精細な切断を可能にするために大きな位置決め精度を有しなければならない、を有するレーザ顕微切離システムとは異なり、レーザスキャン装置を有するレーザ顕微切離システムは、その製造においてより簡単かつコスト的にもより有利であることが判明し、また、精度についての利点も有する。
【００２７】
とりわけ有利な一実施形態では、レーザスキャン装置は、光軸に対して傾けられかつ互いに対し独立に光軸の周りで回動可能な２つの厚みのあるガラス製楔プレートを有する。これらのプレートはその楔角に基づいてビーム偏向を引き起こす。ガラス製楔プレートの回転によって、光軸に対するレーザビームのその結果としての偏向角は変化する。レーザスキャン装置の出射部（出口）において、レーザビームは、ガラス製楔プレートの厚み及び傾斜状態に基づき、光軸に対し横方向のビームシフトを有する（横方向にシフトされる）が、何れの偏向角でも、顕微鏡対物レンズの対物レンズ瞳の中心に入射する。このため、レーザビームと対象面との交点（の位置）は調整可能である。
【００２８】
従って、このようなレーザスキャン装置は、例えばミラースキャナ、ガルバノメータスキャナ又はステッピングモータスキャナのような他のレーザスキャン装置と比べると、対物レンズ瞳に共役な面に配置される必要はないため、とりわけ有利である。このため、偏向されたビームが対物レンズ瞳に入射することを達成するための、いわゆる瞳結像（Pupillenabbildung）も不要である。紫外レーザ光による顕微切離の場合は、例えば紫外線適合的瞳結像が必要であるかもしれない。楔プレートを有するこのようなレーザスキャン装置の更なる利点は、例えばEP 1 276 586 B1（上掲特許文献２）に記載されている。
【００２９】
「取付けられているか又は連結手段によって取付け可能（angebracht oder mittels Kopplungsmitteln anbringbar）」である電気泳動ユニットとは、電気泳動ユニットが対応するレーザ顕微切離システムに持続的に（dauerhaft）固定されているか又は電気泳動ユニットが当該電気泳動ユニットを対応するレーザ顕微切離システムに一時的に固定するための連結手段を有することであると理解されるべきである。「持続的な（dauerhafte）」固定は、例えばネジ固定によって実行することができるが、そのような固定が例えば対応するレーザ顕微切離システムの整備のために又はその分解（Umkonfiguration）の際に解除可能であることは排除されない。
【００３０】
一時的な固定のために設けられる連結手段は、例えばレーザ顕微切離システムの顕微鏡の側に形成される取付け構造体（Anbringungsstrukturen）を含む。電気泳動ユニットも対応する（相補的な）取付け構造体を有する。例えば、レーザ顕微切離システムは、電気泳動ユニットの差込み（ないし押込み：Einschieben）ないし嵌込み（Einsetzen）のために構成されている適切なレール又は空所（窪みないし切欠ないし溝：Aussparungen）を有することができる。この場合、電気泳動ユニットは、例えば相補的なレール及び／又は対応する空所への嵌り込みを可能にする形状を有する。そのようなレール、形状及び／又は空所は、それらが、例えばユーザのミスを回避するために或いは対象面の定義（特定）された基準位置に対する再現可能な位置決めを達成するために、予め設定された位置にのみ電気泳動ユニットを取付けることを可能にするよう、（電気泳動ユニットの側にも、例えばレーザ顕微切離システムの顕微鏡の側にも）形成されることができる。
【００３１】
「定義（特定）された基準位置（definierten Bezugsposition）」は、固定点（ないし箇所）であって、当該固定点に関して（基準として）対象が固定されているか又は固定可能であり、該対象内の領域への関連付け（参照）を可能にする各固定点とすることができる。定義された基準位置はそれ自体対象面において定められる必要はなく、この基準位置は使用されるレーザ顕微切離システムの更なる基準点に対し定義された位置を有することで十分である。例えば、定義された基準位置は、対物レンズの軸と対象面（Objektebene）との交点とすることができる。対象面に対し平行にかつ定義された基準位置に対し相対的に電気泳動ゲルを位置決めすることによって、その都度、ゲルポケットは切離片のための捕獲装置として提供されることができ、かくして、対象面に配置可能な試料のレーザユニットのレーザビームによって得られる切離片は、少なくとも１つのゲルポケットにおいて捕獲されることができる。
【００３２】
「電気泳動ゲル」は常法で作成され、例えば、定義された（特定の）融点を有する、場合によっては添加物を含む、１〜２％アガロースから構成されることができる。電気泳動ゲルは、少なくとも１つの、有利には複数のゲルポケットを有する。電気泳動ゲル及びそのゲルポケットの詳細については以下に説明する。
【００３３】
このため、レーザ顕微切離システムは、１又は複数のゲルポケットを有する電気泳動ゲルを核酸含有試料に対し相対的に位置決めするための手段を有する。かくして、１又は複数のゲルポケットにおいて切離片を捕獲することができる。典型的には、「位置決め」は、試料ないしその切離されるべき領域の下方にゲルポケットを配置することを含む。
【００３４】
本発明のレーザ顕微切離システムによって、従来技術とは異なり、目標を定めて、核酸含有試料のシングル細胞又は組織領域（細胞群）は、対応するゲルポケットの中に移され、目標を定めて（目的通りに）検査されることができる。シングル細胞又は組織領域は、相応の電気泳動法の、例えば上述のコメット・アッセイの実行に応じ、試料の一義的に特定される領域に割り当てられることができる。従って、相応の電気泳動法の厳密に１つの信号の１つの定義された試料領域への割当がその都度可能になる。シングル細胞ないし組織又は細胞群のような試料領域の目標を定めた（目的通りの）分離は不可能である従来技術とは異なり、本発明は、例えば、そのようなシングル細胞ないし試料領域におけるＤＮＡ損傷についての目標を定めたかつ局所的に解明された情報の提供を可能にする。
【００３５】
試料は、例えば、医療用試料、粘着性細胞培養物等からの、固形組織の切片、塗抹標本又は粘膜組織等とすることができる。本発明の特別な利点の１つは、そのような試料の異なる領域を夫々異なるように（例えばイオン化ビーム及び／又は突然変異試薬によって）処理することができ、相応の反応を（ＤＮＡ損傷の形で）局所的に検出することができることである。試料はその他の点では同じように処理することができるため、試料処理の結果として生じる相違（試料処理法の相違により生じる結果の相違）は大幅に避けられる。
【００３６】
本発明は、例えば顕微鏡試料切片の相応の（ミクロ）領域を検査し、影響を受けていない（即ち例えばイオン化ビーム及び／又は突然変異試薬によって処理されていない）細胞ないし組織試料と比較することによって、相応の損傷要因に対する細胞ないし組織に特異的な反応の検出も可能にする。これは、他の方法による先行分離ないし摘出（Vorab-Isolierung）及びシングル細胞ゲル電気泳動法の伝統的な（従来の）実行よりも著しく簡単であることが分かる。既述の通り、従来法では、このために、細胞懸濁液を調製し、この懸濁液から相応の細胞ないし組織領域をゲルポケットの中に沈降させなければならないのである。
【００３７】
「電気泳動ユニット」は、本発明の枠内において、電気泳動のレーザ顕微切離システムへの組込みの程度に応じて異なるように構成することができるが、とりわけ、種々異なる態様で追加のコンポーネントを備えることができる。以下に説明するように、電気泳動ユニットは、本来の電気泳動を実行するために、レーザ顕微切離システムに留まることもレーザ顕微切離システムから取り出されることも可能である。後者の場合、電気泳動ユニットは、極めて単純に構成されることも可能であり、例えば適切なゲル支持体上の電気泳動ゲルのみを含んでいればよい。この場合、有利には、レーザ顕微切離システムにおける電気泳動ゲルの定義（特定）された位置決め（Positionierung）ないし配向（Ausrichtung）、従って割当て（対応付け：Zuordnung）を可能にし、位置決めを記憶可能にする手段が設けられる。かくして、例えば、ゲル支持体は、レーザ顕微切離システムにおけるその位置合わせに適するマーキングを含むことができ、この場合、個々のゲルポケットの夫々の位置は、例えばゲル支持体又はレーザ顕微切離システムによって定められる座標系−定義（特定）された基準位置−を参照して（基準として）定義（特定）されている。
【００３８】
電気泳動ユニットは、当該ユニットに固定的に取付けられているか又は連結手段によって取付け可能な（angebracht oder mittels Kopplungsmitteln anbringbar）流体輸送装置を有することができる。この流体輸送装置は、電気泳動ユニットに流体を供給する（送り込む）ための及び／又は当該ユニットから流体を排出するための相応の手段に結合（接続）されている。「取付けられているか又は連結手段によって取付け可能な（angebracht oder mittels Kopplungsmitteln anbringbar）」という表現の意味については、上述の説明を参照されたい。例えば、電気泳動ユニットを電気泳動の実行の前に適切なゲル材料で、例えばアガロースで、コーティングするために及び／又は電気泳動バッファ及び／又は適切な検出試薬を供給するために、相応の流体輸送装置を使用することができる。電気泳動バッファ及び／又は検出試薬としては、既知の混合物ないし化合物を使用することができる。相応の流体輸送装置によって、流体を電気泳動ユニットからも除去できることは明らかである。例えば密閉型（非開放型）の電気泳動ユニットを乾燥するために及び／又は他の流体を排除する（追い出す）ために、気体状流体を使用することも可能である。
【００３９】
有利には、相応の電気泳動ユニットは、電気泳動ゲルに電圧を印加するための適切な電極を既に有することも可能である。そのような電極は、有利には、電気泳動ゲルの互いに向かいあう２つの側部に沿って延在する。
【００４０】
既述の通り、本発明のレーザ顕微切離システムは、該レーザ顕微切離ユニットに取付けられた電気泳動ユニットによって電気泳動を実行するよう構成することができる。このために、相応のレーザ顕微切離システムは、流体システム及び／又は電気泳動装置を使用することができる。流体システムは、例えば、その入口（流入部）及び／又は出口（流出部）が上述の流体輸送装置と結合可能な適切なポンプを含む。また、流体システムは、レーザ顕微切離システムの制御ユニットによって制御することもできる。同様のことが、電気泳動装置に、即ちその入口（入力端）及び／又は出口（出力端）が電気泳動ユニットの電極の接続部と結合（連結）可能な電圧源に当てはまる。本発明は、この特別に有利な実施形態において、完全に組み込まれた電気泳動システムを有するレーザ顕微切離システムを提供する。
【００４１】
尤も、所定の場合には、電気泳動ユニットが電気泳動法の実行のためにレーザ顕微切離システムから除去可能に構成されたレーザ顕微切離システムも有利であろう。このために、この電気泳動ユニットは、上述の通り、相応の連結手段を備えて構成される。例えば、これは、より高度なモジュール化と、例えば再現性向上のための、中央的（集約的）場所かつ同じ条件下での種々異なるレーザ顕微切離システムの切離片ないし電気泳動ユニットの中央的（集約的ないし一元的）評価を可能にする。この場合、相応のゲル支持体は、例えば、適切な態様で保存（保護）され、中央研究所に配送することも可能である。
【００４２】
電気泳動法の結果を評価するための評価手段を有するレーザ顕微切離システムはとりわけ有利である。既述の通り、本発明のレーザ顕微切離システムは、試料の所定の領域に対する電気泳動ゲルのゲルポケットの一義的割り当て（対応付け）を可能にする。この場合、例えば、個々のゲルポケットを先に設定する場合、試料の夫々関連する領域における割り当てられた位置を到達させ、それによって、どの試料領域が電気泳動法の相応の信号を生成させたのかをユーザが直接的に認識できるように、相応のレーザ顕微切離システムを構成することもできる。反対に、所定の試料領域を先に設定する場合、例えば位置決め可能な試料ホルダによって到達させることにより、夫々関連するゲルポケット（ないし電気泳動法の関連する信号）を指示する（示す）よう構成することも可能である。この場合、ユーザは、（例えばデジタル式の選択ユニットにより丸で囲む（Einkreisen）ことによって）試料の領域を選択する可能性（手段）を得ることができる。レーザ顕微切離システムは、このようにして、この領域において得られる電気泳動法のすべての信号を示す。かくして、ユーザは、例えば、試料の形態的に一様な領域における得られた信号のばらつきないし分布（Streuung）に関する情報を得る。従って、相応の評価手段は、例えば、制御手段、視覚的表示手段、試料ホルダの運動のためのモータ及び選択手段を含む。
【００４３】
全体として、本発明のレーザ顕微切離システムの本質的な利点は、既述の通り、１又は複数のゲルポケットの夫々が核酸含有試料の夫々１つの領域に割り当て（対応付け）可能であることに基づく。なお、その詳細については既に説明した。
【００４４】
本発明において使用するための電気泳動ゲルは、例えば１２、２４又は９６のゲルポケットを有することができる。これらのゲルポケットは、例えば既知のマイクロタイタープレートに応じた規則的なパターン（即ち互いに対し直角に配置された「列」と「行」）の形で配置される。ゲルポケットの数は、その寸法と空間的分離（相互間距離）を規定する。更に、ゲルポケットの数は、試料及び試料から得られる切離片の寸法及び又は数に応じても定められる。多くの切離片材料が必要とされる場合又は大きな切離片の獲得が望まれる場合、より少ない数の相応により大きいゲルポケットの使用が提案される。これは、比較的長い分離ストローク（Trennstrecke）が望まれている場合にもあてはまる。この場合、この分離ストロークを提供するために、ゲルポケット相互間に十分にゲル材料が存在することが必要である。試薬の供給のために、例えば、（Wood et al. の上記文献に記載されているように）対応する電気泳動ゲルに載置される下方に開口するマイクロタイタープレートを使用することもできる。この場合、ゲルポケットの数と配置は、そのようなマイクロタイタープレートの構造によって定まる。
【００４５】
電気泳動ゲルは、予め調製されることも、電気泳動ユニットにおいて既知の型注入法（Giessverfahren）によって作製することも可能である。また、相応の電気泳動ユニットに予め調製したゲルインサート（Geleinsaetzen）を備えることも可能であり、これにより、相応の方法の実行の際のわずらわしさは軽減される。ゲルポケットは、例えば、電気泳動ゲルの型注入の際に適切なマトリックス（Matriezen）を使用することによって、当該ゲルに形成することができる。ゲルの「固化」後、マトリックスを除去することができ、このため、ゲルには相応の数のゲルポケットが形成されている。ゲルポケットを形成するために、例えば、現行の微細構造化技術によって生成されたマトリックスを使用することができる。
【００４６】
電気泳動ゲルのゲルポケットの直径ないし容積は、更に、例えばシングル細胞ゲル電気泳動法によって得られるべき所望される信号の質に基づいて定められる。典型的な直径は１０μm〜５０μmの範囲の大きさである。（ゲルポケットの）容積が大きい程、信号はより強くなるが、場合によってはより拡散される（ぼやける）。容積がより小さければ、得られる信号はよりシャープになるが、場合によっては相応により弱くなる。既述の通り、ゲルポケットの寸法ないし容積に影響を及ぼす本質的な要因は、受容されるべき試料の量である。
【００４７】
既に説明したレーザ顕微切離システムのための相応の電気泳動ユニットは、同様に、本発明の対象である。そのような電気泳動ユニットは、レーザ顕微切離システムに可逆的に（着脱可能に：reversibel）取り付けるための手段を有すると、とりわけ有利である。この電気泳動システムは、例えば既に説明した取付け構造体を含むことができる。この場合、既述の通り、例えば、電気泳動の実行のために及び／又は電気泳動ゲルの導入のために取り出し（Entnahme）を実行することができる。相応にモジュール化した構成は電気泳動ユニットの準備ないし後処理を可能にし、その間、他の電気泳動ユニットは切離（摘出：Dissektion）に供され又は評価される。
【００４８】
核酸含有試料のための本発明の検査方法では、既に説明したようなレーザ顕微切離システムが使用される。この方法は、レーザビームによって核酸含有試料から切離片を分離して取り出すこと、該切離片を電気泳動ゲルの１又は複数のゲルポケットにおいて捕獲すること、及び、該切離片を、次に、電気泳動法によって検査することを含む。検査自体（即ち電気泳動法）は、既知の態様で（例えば既述のコメット・アッセイによって）実行可能であり、ゲルポケットのコーティングのための追加のゲル材料の及び／又は試薬、バッファ、酵素、蛍光標識等の導入を含む。
【００４９】
何度も説明したように、本発明の検査方法は、１又は複数のゲルポケットのうち捕獲に使用されるその都度１つのゲルポケットが試料の１つの領域に割り当てられると、とりわけ有利である。これは、局所的に識別される（aufgeloest）検査を可能にする。
【００５０】
同様に既述の通り、切離片は、「一体型ないし組込み式の（integrierten）」レーザ顕微切離システムにおいて電気泳動法によって検査されることができるが、その間、電気泳動ユニットは電気泳動ゲルと共にレーザ顕微切離システムに取り付けられている。この場合、電気泳動法のためのすべてのパラメータのための中央（集中）的調整（制御）可能性（手段）が存在し得ると有利である。このようにして、例えば、ユーザに残されたなすべきことは切離されるべき領域の指定ないし入力のみの完全な操作プログラムを予め設定することができる。この場合、レーザ顕微切離システムは、更なる工程を自動的に実行するため、とりわけユーザフレンドリーである。
【００５１】
電気泳動ユニットを電気泳動ゲルと共にレーザ顕微切離システムから取り出した後に、切離片を電気泳動法によって検査する代替的可能性（手段）の利点については、上述の説明を参照されたい。
【００５２】
電気泳動法の結果が更にレーザ顕微切離システムによって評価されると、検査方法はとりわけ有利である。これは、既に何度も説明した割当て（対応付け）を含むこともできる。
【００５３】
以下に、本発明の実施例を添付の図面を参照して説明する。
【図面の簡単な説明】
【００５４】
【図１】本発明の実行に使用可能なレーザ顕微切離システムの一例。
【図２】図１に示したレーザ顕微切離システムの第１実施例の細部についての模式図。
【図３】図１に示したレーザ顕微切離システムの第２実施例の細部についての模式図。
【実施例】
【００５５】
各図において、相互に対応する構成要素には同じ図面参照符号が付記されており、従って、説明の繰り返しは行わない。
【００５６】
図１には、本発明の方法の実行に使用可能なレーザ顕微切離システムの一例が模式的に示されており、かつ、全体として符号１００が付記されている。レーザ顕微切離システム１００は、その重要な構成部品については、本書において明示的に参照されているEP 1 276 586 B1（上掲特許文献２）に開示されているものに対応する。以下に説明するｘ、ｙ及びｚ軸ないし方向を表す座標系は符号１１０で表されている。
【００５７】
レーザ顕微切離システム１００は顕微鏡１０を含む。顕微鏡１０の顕微鏡基部１１には、図１には部分的にしか記載されていない照明装置１２を設けることができる。この照明装置１２は、例えば、（不図示の）光源及び該光源によって提供される照明光に影響を与えるための適切な手段、例えばフィルタ及び又は絞り、を含むことができる。
【００５８】
顕微鏡基部１１には、例えば、ユーザ入力及び／又はユーザ情報ユニット１３を設けることができる。このユニット１３は例えばタッチスクリーンとして構成することができ、これによって、ユーザは例えば観察及び／又は処理パラメータを入力すること及び／又は読み取ることができる。
【００５９】
更に、駆動つまみ１４が設けられている。この駆動つまみ１４は、顕微鏡テーブル３０の高さを調整するための粗動及び微動操作に使用される。かくして、試料ホルダ５０に載置された対象支持体（図１では符号は付されていない）上にある試料５１、例えば対象支持体上に配された切片を、対物レンズ４１の焦点面にもたらすことができる。対物レンズ４１は、更なる対物レンズ４２と共に、対物レンズレボルバ（ターレット）４０に固定されている。レーザビームに対する保護のために、保護カバー１５を設けることができる。試料５１の透過光照明のために及び適切なコントラストないし観察法の調節のために、コンデンサユニット２０が使用される。
【００６０】
試料ホルダ５０の下方には電気泳動ユニット９０があるが、このユニット９０には、適切なゲルポケットを有する電気泳動ゲルを備えておくことも可能である。その詳細については、以下の図２及び図３に示す。
【００６１】
試料５１から出射する観察光は観察光路ａに沿って進行する。適切な分岐射出装置６１を有する鏡筒ユニット６０においては、観察光の有利には可変の部分が、例えば６０°の範囲の部分が分岐射出され、接眼レンズペア６２によってユーザに提供されることができる。観察光の他の部分は、デジタル式の画像検出ユニット６３に差込入射され、検出されて画像を生成することができる。
【００６２】
レーザ顕微切離システム１００は、レーザ光源７５を有するレーザユニット７０を有する。例えばＵＶレーザ光源として構成可能なレーザ光線７５によって提供されるレーザビームｂは、図１に全体として符号７６で表されている落射（投下）光ユニットにおいて、第１偏向ミラー７１及び第２偏向ミラー７２によって偏向され、対物レンズ４１を介して試料５１に合焦（集光）される。
【００６３】
レーザ顕微切離システム１００では、レーザビームｂが試料５１に入射する箇所は、原理的に種々の態様で調節することができる。一例としては、クロステーブル（Kreuztisch）として構成される顕微鏡テーブル３０をｘ方向及びｙ方向において（即ち図１の紙面に対し直角及び（横方向に）平行な方向において）位置調節可能にする手動位置調節装置３１を設けることができる。位置調節装置３１の他に、例えば制御ユニット８２によって制御可能でありないしは制御ユニット８２によってその位置が検出可能な電気機械的調節手段を設けることも可能である。
【００６４】
制御ユニット８２は、レーザ顕微切離システム１００の任意的なモータ駆動される更なる機能を制御することも可能であり、とりわけ、相応の通信回線８３を介して接続可能な外部の制御コンピュータ８１のためのインターフェースを提供することも可能である。とりわけ、制御コンピュータ８１及び／又は制御ユニット８２は、対象（顕微鏡）テーブル３０、試料ホルダ５０及び／又は電気泳動ユニット９０（図２及び図３参照）の制御のための手段として構成される。
【００６５】
レーザ顕微切離のために、とりわけ、レーザスキャン装置７３を設けることができる。レーザスキャン装置７３によって、レーザビームｂは、第１偏向ミラー７１と第２偏向ミラー７２の間に延在する光軸ｃに対しても逸らされる（abgelenkt）ことができる。従って、レーザビームは、例えばダイクロイックスプリッタとして構成可能な第２偏向ミラー７２の種々異なる位置に入射することができ、それによって、試料５１の種々異なる位置に合焦（集光）されることができる。レーザスキャン装置７３による相応の逸らし（Ablenkung）については、EP １ 276 586 B1（上掲特許文献２）に詳細に記載されている。ここで強調すべきことは、レーザビームｂの逸らしのためにないしレーザビームｂに対する試料５１の位置決めのために種々の可能性（手段）を使用できることであり、本発明は図示の実施例に限定されるものではない。
【００６６】
図示の実施例では、レーザスキャン装置７３は、光軸ｃに対し傾けられておりかつ光軸ｃの周りで互いに独立に回動可能な２つの厚みのある（分厚い：massiv）ガラス製楔プレート７３１を有する。このために、楔プレート７３１はボールベアリング７３２に支承されている。楔プレートの各々は歯車７３３と結合している。歯車７３３は夫々回動装置７３４によって回動されることができる。回動装置７３４は手動で及び／又は適切な電気機械的装置によって、例えばステッピングモータによって、回転運動することができ、この回転運動によって歯車７３３を駆動する。回動装置７３４は、位置検出器（Positionsgeber）７３５を備えることができる（図１では紙面右側の回動装置７３４についてのみ示されている）。これによって検出された位置は制御ユニット８２に伝達されることができる。
【００６７】
図２は、図１に示したレーザ顕微切離システム１００の第１実施例の細部を模式図で示す。図２には、試料ホルダ５０、顕微鏡テーブル３０及び電気泳動ユニット９０の部分が夫々記載されている。更に、顕微鏡対物レンズ４１が示されている。これらの構成要素は斜視図によってかつ著しく単純化して示されている。使用される座標系には符号２００が付記されている。方向表示ｘ、ｙ及びｚは図１の方向表示ｘ、ｙ及びｚに相当する。軸ないし方向ｘ及びｚは図２の紙面内にある。
【００６８】
試料ホルダ５０は、例えば試料５１を有する対象支持体５２を保持可能に構成された保持装置５３を含む。保持装置５３は、シフト装置５６によって、方向ｚ及びｙの少なくとも一方にシフトされることができる。かくして、試料５１の所定の領域をレーザビームｂに対してシフトさせることが可能になる。シフト装置５６は極めて模式化されて示されている。本発明のレーザ顕微切離システム１００は、例えば、図１において対象テーブル３０の位置調節装置３１について示したように、保持装置５３の、従って試料５１の、ｘ方向及びｙ方向におけるシフトを可能にするコアキシャルに（koaxial）配置されるローレットネジないし回転つまみを含むことができる。
【００６９】
以下に図３を参照して説明するように、試料５１は、通常、対象支持体５２の下側（下面）に配されている。対象支持体５２は図示の実施例では方形状に構成されているが、本発明のレーザ顕微切離システムは、縦横比が１：３又は１：４の従来の対象支持体の保持のために構成された保持装置５３を備えるよう構成することも可能である。
【００７０】
試料ホルダ５０は、顕微鏡テーブル３０の（ｚ方向において）上方に（即ち観察者ないし対物レンズ側に）配置されている。顕微鏡テーブル３０も、とりわけ図２に極めて模式化して示した位置調節装置３１によって、方向ｘ及びｙの少なくとも一方に動かすことができる。この場合にも、例えば、コアキシャルなローレットネジを設けることができる。図示の実施例では、試料ホルダ５０と試料テーブル３０の間に距離ｕが示されているが、試料ホルダ５０は試料テーブル３０上に直接配置する（載置する）ことも可能である。とりわけ、距離ｕは可変的に構成することも可能である。
【００７１】
図示の実施例では、照明側に即ちｚ方向において対象テーブル３０の下方に、電気泳動ユニット９０が配置されている。電気泳動ユニット９０も、適切な位置調節手段（装置）９６によって位置調節可能に構成することができる。この場合も、位置調節は、方向ｘ及びｙの少なくとも一方において実行することができる。電気泳動ユニット９０は図２においては極めて単純化されて示されている。この場合も、電気泳動ユニット９０と試料テーブル３０の間の距離ｖは、図２に記載したものと異なるように形成することができる。とりわけ、電気泳動ユニット９０は、対象テーブル３０の直接下方に配置することも可能である。
【００７２】
電気泳動ユニット９０は、図示の実施例では３つのゲルポケット９２を有する電気泳動ゲル９１を有する。ゲルポケット９２は、任意の数、形状及び寸法で生成することができる。ゲルポケット９２は、例えば、電気泳動ゲル９１の生成のために使用される溶解したゲル材料に、例えば溶解したアガロースに、押し付けられる適切なマトリックス（Matrize）を用いて形成することができる。ゲル材料の固化後、所望の形態のゲルポケット９２ができている。図示の実施例の電気泳動ゲル９１では、例えば、２４、９６又は３８４のゲルポケットが使用される。個々のゲルポケットは、１００μmよりも明らかに小さい寸法を有することができる。通常は、例えば、直径が１０μm〜５０μmである。
【００７３】
電気泳動ゲル９１は、接続部（ラインないし端子）９４を介して電圧（＋と−の記号で図示されている）を印加することができる２つの電極９３間に配されている。電圧は、例えば制御ユニット８２及び／又は制御コンピュータ８１によって、調節することができる。適切な電圧源が設けられているが、これは視認性の観点から図示されていない。
【００７４】
一般的に知られているように、電気泳動ゲルにおける試料の分離は、適切な分離バッファを用いて実行される。分離バッファは、相応の流体輸送装置９５を有する流体システムによって、電気泳動ユニット９０に供給され、かつ、該ユニット９０から排出されることができる。流体輸送装置９５によって、例えば、適切な染色試薬、放射性標識及び／又は適切な酵素を電気泳動ユニット９０に供給することもできる。夫々の流体輸送装置９５を介した相応の流体の供給ないし相応の流体の排出も、制御コンピュータ８１及び／又は制御ユニット８２によって制御することができる。このために、適切なポンプが設けられると有利である。なお、このポンプは、視認性の観点から同様に図示されていない。既述の通り、電気泳動ユニット９０をレーザ顕微切離システム１００から取り出すことも可能である。
【００７５】
図３には、観察光路ａの光軸と（図１の紙面に対し直角をなす）ｘ方向とによって規定される面における、試料ホルダ５０がその上に取り付けられた顕微鏡テーブル３０の断面の一例が示されている。３つの方向ないし軸を有する使用される座標系は符号３００で示されている。
【００７６】
顕微鏡テーブル３０は、（紙面に対し直角をなす）ｙ方向に可動なプレート３２が配された定置的な基底プレート３４を有する。可動プレート３２は、顕微鏡テーブル３０のテーブル面（符号の付記なし）を定義する。可動プレート３２は、適切な装置によって、例えばベアリングボール３３の使用によって、定置的な基底プレート３４に対してシフト可能に構成されている。定置的な基底プレート３４と可動プレート３２との相対的なシフトのために、既に説明した位置調節装置３１を使用することができる。ここで、定置的な基底プレート３４が「定置している（feststeht）」という場合、これは、可動プレート３２に対する基底プレート３４の位置の関係についてのみ適用されるものとする。「定置的な」基底プレート３４は、それ自体では、顕微鏡テーブル３０の更なるプレートに対し‐ｘ方向に‐シフト可能であり、更に‐ｚ方向に−その高さについて位置調節可能である。
【００７７】
定置的な基底プレート３４には、２つの保持要素５７が設けられている。なお、これらのうち、紙面左側の保持要素５７にのみ図面参照符号が付記されている。保持要素５７は、支持要素５４（後記参照）と電気泳動ユニット９０の間に定置的に配されている汚染防止プレート５８を担持する。汚染防止プレート５８は、有利には、顕微鏡テーブル３０のテーブル面全体の上方に張り渡らされて、自由作業空間５５を上方において制限（画成）する。汚染防止プレート５８は、（複数の）開口部（くり抜き部）５９を有する。
【００７８】
試料ホルダ５０は、対象支持体５２が載置可能な支持要素５４を有する。試料５１は、対象支持体５２の下面に配されている。対象支持体５２と試料５１は、図２を参照して既に説明した保持装置５３によって、ｘ方向及び／又はｙ方向にシフトされることができる。
【００７９】
顕微鏡テーブル３０のテーブル面には、電気泳動ユニット９０が配置される。従って、電気泳動ユニット９０は図２においては対象テーブル３０の下方に配置されるのに対し、図３においては対象テーブル３０の上方に配置されるという点において、図３の実施例の構成は図２の実施例の構成と相違する。
【００８０】
電気泳動ユニット９０は、自由作業空間５５内に組み入れられ、例えば連結手段３５によってレーザ顕微切離システム１００に取付け可能に構成されている。電気泳動ユニット９０は、既に図２を参照して説明した基本的構成要素を有する。それらのうち、とりわけ電気泳動ゲル９１には、これは図３ではハッチングが施されている（黒色で塗り潰されている）が、複数のゲルポケット９２が形成されている。電極９３には相応のライン９４が接続され、流体輸送装置９５は、矢印で図示されているような、適切な流体の供給ないし排出のために使用可能である。電気泳動ユニット９０は適切なチャンバ内に収容する（閉じ込める）ことも可能であるが、この場合、試料５１の複数の切離片が夫々の対応するゲルポケット９２内に落下できることが保証される。ライン９４ないし（流体輸送装置）９５のために、同様に、汚染防止プレート５８に適切な開口部（くり抜き部）５９を形成することができる。なお、汚染防止プレート５８の使用は省略することも可能である。
【００８１】
顕微鏡対物レンズ４１は、（図１と同様に一点鎖線で図示されている）観察光路ａの光軸上において対象支持体５２に指向されており、相応のレンズ構成体（符号の付記なし）によって試料５１の画像を生成する。このため、試料５１は顕微鏡対物レンズ４１の焦点面に位置する。更に、顕微鏡対物レンズ４１は、図１について説明したような差込入射されたレーザビームｂを試料５１に合焦（集光）し、それによって、試料５１から相応の切離片が、例えば１又は複数のシングル細胞が切離される（切断されて取り出される）。
【００８２】
電気泳動ゲル９１のその都度１つのゲルポケット９２は、切離片が重力によって当該ゲルポケット９２の中に落下して来るよう、試料５１の下方に配置（位置決め）される。１つのゲルポケット９２の中に１つの切離片が入っている様子が極めて模式的に図示されており、この切離片には符号９９が付記されている。ゲルポケット９２の数は、既述の通り、その都度の必要に応じて、例えば獲得すべき切離片の数に応じて、決定することができる。汚染防止プレート５８が設けられる場合、電気泳動ゲル９１のその都度１つのゲルポケット９２は、観察光路ａの光軸上の開口部５９の下方に配置されることができる。汚染防止プレート５８によって、周囲の空気からの塵又はその他の粒子が夫々のゲルポケット９２の中に落下することが阻止される。更に、試料５１の切離片９９が、試料５１から放出されるとき、「間違った」ゲルポケット９２の中に落下することが阻止される。換言すれば、所望のゲルポケット９２を除く、他のすべてのゲルポケット９２が汚染防止プレート５８によって閉鎖されることができる。これにより、有効な分析及びアーチファクトの回避が可能になる。
【００８３】
位置調節装置９６には、適切な操作手段９７を結合することができる。操作手段９７は、手動操作用に構成可能であるが、位置調節装置９６及びこれに取り付けられた電気泳動ユニット９０の運動を可能にする相応のモータを有すると有利である。このために、操作手段９７は、相応の接続手段９８を介して、コンピュータに、例えば既述の制御コンピュータ８１に、接続される。制御コンピュータ８１又は制御ユニット８２は、その都度所望のゲルポケット９２が観察光路ａの光軸上の開口部５９の下方に、従ってレーザビームｂによって処理される試料５１の領域の下方に位置するよう、操作手段９７ないし位置調節装置９６を介して電気泳動ユニット９０ないし電気泳動ゲル９１をシフトする。１つのレーザ顕微切離プロセスが終了する都度、相応の切離片９９が重力によって対応するゲルポケット９２の中に落下する。制御コンピュータ８１は、その後、必要に応じ、他のないし空のゲルポケット９２を相応に位置決めし、それによって、１又は複数の新たな切離片を捕獲する。
【００８４】
所望の数の切離片を獲得し、ゲルポケットの中に収めた後、例えば適切なバッファを流体輸送装置９５を介して電気泳動ユニット９０に供給することによって、電気泳動を開始することができる。電気泳動ゲル９１は、予め、流体輸送装置９５を介して供給されるゲル材料でコーティングすることも可能である。電極９３にライン９４を介して電圧を印加することにより、獲得された切離片の夫々の電気泳動を引き起こす電圧勾配が形成される。この関連において、とりわけ、冒頭で説明したいわゆるコメット・アッセイを実行することができる。
【００８５】
電気泳動法の実行後、その結果は直接的に対物レンズ４１を介して検査することができる。
【図１】
2016525700.tif 000003
【図２】
2016525700.tif 000004
【図３】
2016525700.tif 000005
【国際調査報告】
2016525700.tif 000006
2016525700.tif 000007
2016525700.tif 000008
2016525700.tif 000009
2016525700.tif 000010
2016525700.tif 000011